(57)【要約】【課題】  構内ＰＨＳシステムにおいて、プログラムの更新時にその処理負荷を分散させるプログラム更新方法を提供する。【解決手段】  更新用プログラム１７を配信すべき無線基地局３に付与されているＩＰアドレスが配信順に複数記録された配信リストデータ１８と更新用プログラム１７のバージョン情報を含む更新用プログラム１７とからなる更新ファイル１９を受信すると、無線基地局３は、更新ファイル１９からバージョン情報を取得し、無線基地局３既存のプログラムのバージョンと比較、更新すべきであるかを判定し、更新すべきであると判定すると更新ファイル１９から取得した更新用プログラム１７を無線基地局３の記憶装置２５に記録し、配信リストデータ１８から自己のＩＰアドレスを削除した後、更新ファイル１９を再作成し、自己のＩＰアドレスが削除された配信リストデータ１８から配信順が先頭のＩＰアドレスを取得し、更新ファイル１９を送信する。【選択図】  図１
2005157577.tif 000002
【特許請求の範囲】
【請求項１】
無線通信端末と通信可能な中継装置である複数の無線基地局のプログラムを、制御端末から更新用プログラムファイルをネットワーク経由で前記無線基地局へ配信することで更新する、無線基地局におけるプログラム更新方法であって、
前記更新用プログラムファイルを配信すべき前記無線基地局に付与されているＩＰアドレスが配信順に複数記録された配信リストデータと、当該更新用プログラムのバージョン情報を含む更新用プログラムファイルとを有する更新ファイルを、前記制御端末または他の無線基地局から受信すると、当該更新ファイルからバージョン情報を取得し、当該無線基地局既存のプログラムのバージョンと比較し、更新すべきであるかを判定する判定工程と、
更新すべきであると判定されると、当該更新ファイルから取得した当該更新用プログラムを当該無線基地局の記憶装置に記録する記録工程と、
当該配信リストデータから自己のＩＰアドレスを削除した後、自己のＩＰアドレスが削除された当該配信リストデータと前記更新用プログラムを有する前記更新ファイルを再作成し、自己のＩＰアドレスが削除された当該配信リストデータから配信順が先頭のＩＰアドレスを取得し、その取得したＩＰアドレスが付与されている無線基地局に対して当該更新ファイルを送信する送信工程と、
を有することを特徴とするプログラム更新方法。
【請求項２】
前記送信工程は、自己のＩＰアドレスが削除された当該配信リストデータから配信順が先頭のＩＰアドレスを取得した後、当該先頭のＩＰアドレスを送信先としてその送信先の無線基地局に既存のプログラムのバージョン情報の問合せを送信し、その問合せに対して返信されたバージョン情報と、当該更新ファイルが有する前記更新用プログラムのバージョン情報を比較し、当該送信先の無線基地局において既存のプログラムを更新すべきであるかを判定した後、更新すべきであると判定した場合には、当該更新ファイルを当該送信先の無線基地局に送信し、更新すべきでないと判定した場合には、当該配信リストデータから配信順が先頭のＩＰアドレスを削除した後、配信順が次のＩＰアドレスを取得し、当該次のＩＰアドレスを送信先としてその送信先の無線基地局に既存のプログラムのバージョン情報の問合せを送信することを特徴とする請求項１に記載のプログラム更新方法。
【発明の詳細な説明】
【技術分野】
【０００１】
本発明は、構内ＰＨＳシステムにおける無線基地局のプログラム更新方法に関する。
【背景技術】
【０００２】
工場施設等、限られたエリア内にＰＨＳ（Personal Handyphone System）通信網を構築する構内ＰＨＳシステムは、所定エリア内における通信を中継する装置である複数の無線基地局によって構築され、このエリア内に存在するＰＨＳは、無線基地局を介して他のＰＨＳや、さらに構内交換機等を介して一般公衆回線に接続することができ、事業所やオフィスビル内の電話回線を置き換えるものである。
【０００３】
この無線基地局は、システムが稼動した後に不具合の修正や機能の追加、性能改善等のため、無線基地局が実行しているプログラムの更新を行うことがある。この構内ＰＨＳシステムのように、ネットワークで相互接続されている多数の機器へのプログラムの更新は、通常、システムの管理装置からそれぞれの機器に対して新しいプログラムを順次ダウンロードされることによって、更新を行っている（例えば、特許文献１）。
【０００４】
ところが、構内ＰＨＳシステムでは、無線基地局はシステムの構成によって数百に及ぶこともあり、全ての無線基地局のプログラムを更新するには、非常に多大な時間を必要とすることになる。また、ネットワークの回線を監視する回線コントローラから無線基地局のプログラムの更新を行う場合には、その回線コントローラに多大な負荷がかかり、回線コントローラとしての通常動作に少なからず影響を及ぼす可能性があった。
【特許文献１】特開平９−１６０８５４号公報
【発明の開示】
【発明が解決しようとする課題】
【０００５】
本発明は、上記事情に鑑みてなされたものであり、構内ＰＨＳシステムにおいて、プログラムの更新時にその処理負荷を分散させるプログラム更新方法を提供することを目的とする。
【課題を解決するための手段】
【０００６】
上記目的を達成するために、請求項１に記載のプログラム更新方法は、無線通信端末と通信可能な中継装置である複数の無線基地局のプログラムを、制御端末から更新用プログラムファイルをネットワーク経由で前記無線基地局へ配信することで更新する、無線基地局におけるプログラム更新方法であって、前記更新用プログラムファイルを配信すべき前記無線基地局に付与されているＩＰアドレスが配信順に複数記録された配信リストデータと、当該更新用プログラムのバージョン情報を含む更新用プログラムファイルとを有する更新ファイルを、前記制御端末または他の無線基地局から受信すると、当該更新ファイルからバージョン情報を取得し、当該無線基地局既存のプログラムのバージョンと比較し、更新すべきであるかを判定する判定工程と、更新すべきであると判定されると、当該更新ファイルから取得した当該更新用プログラムを当該無線基地局の記憶装置に記録する記録工程と、当該配信リストデータから自己のＩＰアドレスを削除した後、自己のＩＰアドレスが削除された当該配信リストデータと前記更新用プログラムを有する前記更新ファイルを再作成し、自己のＩＰアドレスが削除された当該配信リストデータから配信順が先頭のＩＰアドレスを取得し、その取得したＩＰアドレスが付与されている無線基地局に対して当該更新ファイルを送信する送信工程とを有することを特徴とする。
【０００７】
また、請求項２に記載のプログラム更新方法は、請求項１に記載のプログラム更新方法であって、前記送信工程は、自己のＩＰアドレスが削除された当該配信リストデータから配信順が先頭のＩＰアドレスを取得した後、当該先頭のＩＰアドレスを送信先としてその送信先の無線基地局に既存のプログラムのバージョン情報の問合せを送信し、その問合せに対して返信されたバージョン情報と、当該更新ファイルが有する前記更新用プログラムのバージョン情報を比較し、当該送信先の無線基地局において既存のプログラムを更新すべきであるかを判定した後、更新すべきであると判定した場合には、当該更新ファイルを当該送信先の無線基地局に送信し、更新すべきでないと判定した場合には、当該配信リストデータから配信順が先頭のＩＰアドレスを削除した後、配信順が次のＩＰアドレスを取得し、当該次のＩＰアドレスを送信先としてその送信先の無線基地局に既存のプログラムのバージョン情報の問合せを送信することを特徴とする。
【発明の効果】
【０００８】
本発明によれば、プログラム更新の処理負荷がネットワーク上の一点に集中することなく行うことが可能となるので、プログラム更新時に通信や通話に支障をきたすことがなくなる。
【発明を実施するための最良の形態】
【０００９】
本発明の実施形態を、図１〜図８を用いて説明する。
【００１０】
≪第１の実施形態≫
第１の実施形態における構内ＰＨＳシステム１は、図１に示すように、回線コントローラ２ａと、ＰＨＳ５と交信可能な通信装置である複数の無線基地局３ａとから構成され、相互に有線または無線のネットワーク４によって接続される。無線基地局３ａにはそれぞれＩＰアドレスが予め付与されていることとする。
【００１１】
回線コントローラ２ａは、図２に示すように、リスト作成部１１、更新制御部１２ａ、および送受信部１３を有し、また、無線基地局３毎にＩＰアドレスと無線基地局３ａの機器種別が記録された無線基地局データ１５、更新用プログラム１７毎にそのバージョン情報が記録されたバージョンデータ１６、および適用される無線基地局３ａの機器種別の情報を含み各無線基地局３ａに送信される更新用プログラム１７を記憶する補助記憶装置１４を備える。
【００１２】
なお、回線コントローラ２ａは、通常、ＰＨＳ５から発せられる発信信号を無線基地局３から受信して、内部に持つデータベースを元に発信先のＰＨＳ５を管轄下に持つ無線基地局３に対し着信信号を送る、といった呼制御を行うものである。
【００１３】
リスト作成部１１は、無線基地局データ１５とバージョンデータ１６とを基に、更新用プログラム１７を配信する無線基地局３ａのＩＰアドレスが記録された配信リストデータ１８を作成する機能を有する。
【００１４】
更新制御部１２ａは、配信リストデータ１８が作成されると、その配信リストデータ１８と、バージョン情報を含む更新用プログラム１７とから成る更新ファイル１９を作成し、送受信部１３を介して無線基地局３ａへ送信する機能を有する。
【００１５】
また、送受信部１３は、更新制御部１２から指定された無線基地局３との間にデータコネクションを構築し、更新ファイル１９を送信する機能を有する。
【００１６】
また、無線基地局３ａは、図３に示すように、プログラム更新部２１ａ、受信部２２、送信部２３、および配信リスト修正部２４を有し、また、更新用プログラム１７のバージョンが記録されたバージョンデータ１６、更新用プログラム１７を記憶する記憶装置２５を備える。この記憶装置２５は、例えば、フラッシュメモリ、ＥＥＰＲＯＭ（Electronically Erasable and Programmable Read Only Memory）、ハードディスク等の記憶装置２５であり、無線基地局３ａは、通常動作時にはこの記憶装置２５に記録されたプログラムを実行して、呼制御を行う。
【００１７】
プログラム更新部２１ａは、受信部２２を介して更新ファイル１９を受信すると、更新ファイル１９中の更新用プログラム１７のバージョンと、記憶装置２５に記録されているバージョン情報とを比較し、その更新用プログラム１７を適用すべきもの、例えば、新しいプログラムであれば、記憶装置２５に記録し、プログラムを更新する機能を有する。また、配信リスト修正部２４が作成する配信リストデータ１８と更新用プログラム１７を基に、更新ファイル１９を作成し、送信部２３を介して他の無線基地局３ａへ送信する機能を有する。
【００１８】
受信部２２は、データコネクションを構築し、回線コントローラ２または他の無線基地局３ａから送信される更新ファイル１９を受信し、プログラム更新部２１へ供給する機能を有する。
【００１９】
送信部２３は、データコネクションを構築し、プログラム更新部２１から指定された無線基地局３に対して更新ファイル１９を送信する機能を有する。
【００２０】
また、配信リスト修正部２４は、プログラム更新部２１から供給される配信リストデータ１８から自己に付与されているＩＰアドレスを削除し、配信リストデータ１８を再作成する機能を有する。
【００２１】
図４に無線基地局データ１５を示す。無線基地局データ１５は、基地局、ＩＰアドレス、および機器種別の項目を有するデータテーブルであって、無線基地局３毎にＩＰアドレスと無線基地局３ａの機器種別が記録されている。
【００２２】
なお、更新ファイル１９の転送については、ＦＴＰ（File Transfer Protocol）等のファイル転送プロトコルの規約に従って行われることとする。また、本発明においては、プログラムの更新は、プログラムファイルそのものを置き換える方法と、更新用プログラム１７を実行して、既存のプログラムファイルを書き換える方法とがあり、両方を含めて「プログラムを更新する」という。
【００２３】
次に、プログラム更新時の処理について、図５のシーケンス図に基づいて説明する。
【００２４】
まず、回線コントローラ２の補助記憶装置１４に各無線基地局３ａに送信される更新用プログラム１７が記録されると、リスト作成部１１は、更新用プログラム１７に含まれる機器種別の情報を基に、無線基地局データ１５からその更新用プログラム１７が送信されるべき無線基地局３ａのＩＰアドレスを取得し、配信リストデータ１８を作成する（ステップＳ０１）。この配信リストデータ１８には、無線基地局３ａのＩＰアドレスが、送信順に記述されている。
【００２５】
例えば、更新用プログラム１７を機器種別「Type_a」の無線基地局３に送信する場合、配信リストデータ１８には、図２（Ａ）に示すように、「192.168.30.151」「192.168.30.152」「192..168.30.153」「192.168.30.154」…と順にＩＰアドレスが記述されることになる。
【００２６】
次に、更新制御部１２ａは、リスト作成部１１が作成した配信リストデータ１８と補助記憶装置１４に記録されている更新用プログラム１７を基に、バージョン情報を含む更新ファイル１９を作成する（ステップＳ０２）。さらに更新制御部１２ａは、配信リストデータ１８の先頭に記述されているＩＰアドレスを取得し、そのＩＰアドレスを宛先として更新ファイル１９を送信することを送受信部１３に指示し、送受信部１３は、指示されたＩＰアドレスが付与されている無線基地局３ａとの間でデータコネクションを構築し、更新ファイル１９を送信する（ステップＳ０３）。図２（Ａ）の配信リストデータ１８に従って送信したとすると、更新ファイル１９は無線基地局３Ａに送信されたことになる。
【００２７】
無線基地局３ａの受信部２２は、更新ファイル１９を受信すると（ステップＳ０４）、更新ファイル１９をプログラム更新部２１ａに供給し、プログラム更新部２１ａは、更新ファイル１９から更新用プログラム１７と配信リストデータ１８を取得する。
【００２８】
次に、プログラム更新部２１ａは、更新ファイル１９中のバージョン情報と、記憶装置２５に記録されているバージョンデータ１６のバージョン情報とを照合し（ステップＳ０５）、更新を行うべきものかどうかの判定を行う（ステップＳ０６）。判定の結果、更新を行うべきものであれば、プログラム更新部２１ａは、記憶装置２５に更新用プログラム１７を記録してプログラムを更新する（ステップＳ０７）。例えば、送信された更新用プログラム１７がより新しいものであれば、更新を行うべきものと判定される。また、判定の結果、更新を行うべきものでなければ、ステップＳ０７の処理は省略する。
【００２９】
また、配信リスト修正部２４は、配信リストデータ１８から自己のＩＰアドレスを削除し、配信リストデータ１８を再作成し（ステップＳ０８）、プログラム更新部２１ａに供給する。例えば、無線基地局３Ａでは、配信リストデータ１８の「192.168.30.151」が削除されることになる。
【００３０】
次に、プログラム更新部２１ａは、配信リスト修正部２４が再作成した配信リストデータ１８と更新用プログラム１７を基に、バージョン情報を含む更新ファイル１９を作成する（ステップＳ０９）。さらにプログラム更新部２１ａは、配信リストデータ１８の先頭に記述されているＩＰアドレスを取得し、そのＩＰアドレスを宛先として更新ファイル１９を送信することを送信部２３に指示し、送信部２３は、指示されたＩＰアドレスが付与されている無線基地局３ａとの間でデータコネクションを構築し、更新ファイル１９を送信する（ステップＳ１０）。図２（Ａ）の配信リストデータ１８であれば、無線基地局３Ａでは、「192.168.30.151」が削除されるので、次は、付与されているＩＰアドレスが「192.168.30.152」の無線基地局３Ｂに送信されることになる。
【００３１】
以降、配信リストデータ１８に記述されているＩＰアドレスの順序で、各無線基地局３ａでステップＳ０４〜ステップＳ１０の処理が行われ、順次更新用プログラム１７の適用が行われる。なお、最後に更新ファイル１９が送信された無線基地局３ａでは、ステップＳ０７までの処理が行われ、後の処理は省略される。
【００３２】
≪第２の実施形態≫
第２の実施形態における回線コントローラ２ｂは、図６に示すように、リスト作成部１１、更新制御部１２ｂ、および送受信部１３を有し、また、無線基地局３毎にＩＰアドレスと無線基地局３ｂの機器種別が記録された無線基地局データ１５、更新用プログラム１７毎にそのバージョン情報が記録されたバージョンデータ１６、および適用される無線基地局３ｂの機器種別の情報を含み各無線基地局３ｂに送信される更新用プログラム１７を記憶する補助記憶装置１４を備える。なお、第１の実施形態と同じ機能のものについては、同じ番号を付し、その説明を省略する。
【００３３】
更新制御部１２ｂは、配信リストデータ１８が作成されると、無線基地局３ｂに対してプログラムのバージョン情報を問合せ、更新すべきバージョンであれば、その配信リストデータ１８と、バージョン情報を含む更新用プログラム１７とから成る更新ファイル１９を作成し、送受信部１３を介して無線基地局３ｂへ送信する機能を有する。
【００３４】
また、無線基地局３ｂは、図７に示すように、プログラム更新部２１ｂ、受信部２２、送信部２３、および配信リスト修正部２４を有し、また、更新用プログラム１７のバージョンが記録されたバージョンデータ１６、更新用プログラム１７を記憶する記憶装置２５を備える。この記憶装置２５は、例えば、フラッシュメモリ、ＥＥＰＲＯＭ、ハードディスク等の記憶装置２５であり、無線基地局３ｂは、通常動作時にはこの記憶装置２５に記録されたプログラムを実行して、呼制御を行う。
【００３５】
プログラム更新部２１ｂは、回線コントローラ２ｂからプログラムのバージョン情報の問合せを受信すると、記憶装置２５に記録されているプログラムのバージョンを返信する機能を有する。また、プログラム更新部２１ｂは、受信部２２を介して更新ファイル１９を受信すると、記憶装置２５に記録する機能を有する。また、配信リスト修正部２４が作成する配信リストデータ１８と更新用プログラム１７を基に、更新ファイル１９を作成し、送信部２３を介して他の無線基地局３ａへ送信する機能を有する。
【００３６】
次に、プログラム更新時の処理について、図８のシーケンス図に基づいて説明する。
【００３７】
まず、回線コントローラ２の補助記憶装置１４に各無線基地局３ｂに送信される更新用プログラム１７が記録されると、リスト作成部１１は、更新用プログラム１７に含まれる機器種別の情報を基に、無線基地局データ１５からその更新用プログラム１７が送信されるべき無線基地局３ｂのＩＰアドレスを取得し、配信リストデータ１８を作成する（ステップＳ２１）。
【００３８】
次に、更新制御部１２ｂは、リスト作成部１１が作成した配信リストデータ１８と補助記憶装置１４に記録されている更新用プログラム１７を基に、バージョン情報を含む更新ファイル１９を作成する（ステップＳ２２）。
【００３９】
次に、更新制御部１２ｂは、配信リストデータ１８の先頭に記述されているＩＰアドレスを取得し、そのＩＰアドレスを宛先としてバージョン情報の問合せメッセージを、送受信部１３を介して送信する（ステップＳ２３）。
【００４０】
無線基地局３ｂのプログラム更新部２１ｂは、受信部２２を介してバージョン情報の問合せメッセージを受信すると、記憶装置２５に記録されているバージョンデータ１６を参照して、バージョン情報を、送信部２３を介して返信する（ステップＳ２４）。
【００４１】
次に、回線コントローラ２の更新制御部１２ｂは、返信されたバージョン情報と、記憶装置２５に記録されているバージョンデータ１６のバージョン情報とを照合し、更新を行うべきものかどうかの判定を行う（ステップＳ２５）。判定の結果、更新を行うべきものであれば、更新制御部１２ｂは、先に取得したＩＰアドレスを宛先として更新ファイル１９を送信することを送受信部１３に指示し、送受信部１３は、指示されたＩＰアドレスが付与されている無線基地局３ｂとの間でデータコネクションを構築し、更新ファイル１９を送信する（ステップＳ２６）。なお、ステップＳ２５で、判定の結果、更新すべきものではない場合は、更新制御部１２ｂは、配信リストデータ１８から先に取得したＩＰアドレスを削除し、配信順序が先に取得したＩＰアドレスの次に記載されているＩＰアドレスを配信リストデータ１８から取得して、ステップＳ２３からの同様の処理を繰り返す。
【００４２】
無線基地局３ｂの受信部２２は、更新ファイル１９を受信すると（ステップＳ２７）、更新ファイル１９をプログラム更新部２１ｂに供給し、プログラム更新部２１ｂは、更新ファイル１９から更新用プログラム１７と配信リストデータ１８を取得する。
【００４３】
次に、プログラム更新部２１ｂは、更新ファイル１９中のバージョン情報と、記憶装置２５に記録されているバージョンデータ１６のバージョン情報とを照合し（ステップＳ２８）、更新を行うべきものかどうかの判定を行う（ステップＳ２９）。判定の結果、更新を行うべきものであれば、プログラム更新部２１ｂは、記憶装置２５に更新用プログラム１７を記録してプログラムを更新する（ステップＳ３０）。なお、ステップＳ２８、Ｓ２９の処理は省略しても良い。
【００４４】
また、配信リスト修正部２４は、配信リストデータ１８から自己のＩＰアドレスを削除し、配信リストデータ１８を再作成し（ステップＳ３１）、プログラム更新部２１ｂに供給する。
【００４５】
次に、プログラム更新部２１ｂは、配信リスト修正部２４が再作成した配信リストデータ１８と更新用プログラム１７を基に、バージョン情報を含む更新ファイル１９を作成する（ステップＳ３２）。さらにプログラム更新部２１ｂは、配信リストデータ１８の先頭に記述されているＩＰアドレスを取得し、そのＩＰアドレスを宛先としてバージョン情報の問合せメッセージを、送受信部１３を介して送信する（ステップＳ３３）。
【００４６】
プログラム更新部２１ｂは、バージョン情報が返信されると、その返信されたバージョン情報と、記憶装置２５に記録されているバージョンデータ１６のバージョン情報とを照合し、更新を行うべきものかどうかの判定を行う（ステップＳ３４）。判定の結果、更新を行うべきものであれば、プログラム更新部２１ｂは、先に取得したＩＰアドレスを宛先として更新ファイル１９を送信することを送受信部１３に指示し、送信部２３は、指示されたＩＰアドレスが付与されている無線基地局３ａとの間でデータコネクションを構築し、更新ファイル１９を送信する（ステップＳ３５）。またステップＳ３４で、判定の結果、更新すべきものではない場合は、プログラム更新部２１ｂは、配信リストデータ１８から先に取得したＩＰアドレスを削除し、配信順序が先に取得したＩＰアドレスの次に記載されているＩＰアドレスを配信リストデータ１８から取得して、ステップＳ３３からの同様の処理を繰り返す。
【００４７】
このようにして、配信リストデータ１８に記述されているＩＰアドレスの順序で、順次更新用プログラム１７の適用が行われる。
【００４８】
≪第２の実施形態の応用例≫
先に示した第２の実施形態では、回線コントローラ２ｂや無線基地局３ｂから１つの無線基地局３ｂへ更新ファイル１９を送信していたが、複数の無線基地局３ｂへ更新ファイル１９を送信することも考えられる。
【００４９】
例えば、２つの無線基地局３に更新ファイル１９を送信する場合、１つ目の無線基地局３ｂには先に示した通りの処理手順で更新ファイル１９を送信し、配信リストデータ１８から次のＩＰアドレスを取得し、同様の処理手順で、バージョン情報の問合せを行うことになるが、この時、２つの状況が考えられる。
【００５０】
まずこの時、回線コントローラ２ｂと先にプログラムが更新された無線基地局３ｂとからほぼ同時にバージョン情報の問合せが行われる可能性がある。両者が有する配信リストデータ１８の先頭のＩＰアドレスは同じものというのがその原因であるが、無線基地局３ｂは、先にバージョン情報の問合せがされた方の処理を優先して応答するということにすると、一方にはファイル受信中（または更新作業中）というビジー情報が返信されることになる。
【００５１】
このビジー情報が返信された場合には、回線コントローラ２ｂ、または先にプログラムが更新された無線基地局３ｂは、そのＩＰアドレスが付与された無線基地局３ｂは更新作業中ということで配信リストデータ１８からそのＩＰアドレスを削除し、次のＩＰアドレスを取得して一連の処理を開始する。
【００５２】
また、バージョン情報の問合せが同時に行われなかった場合には、無線基地局３ｂは、それぞれの問合せに対して返信することになるが、先の問合せに従ってプログラムの更新が既に完了しているので、返信するバージョン情報は同一のものとなる。従って、回線コントローラ２ｂ、または先にプログラムが更新された無線基地局３ｂは、この時点で配信リストデータ１８からそのＩＰアドレスを削除し、次の無線基地局３に対して一連の処理を開始することになる。
【００５３】
このように複数の無線基地局３ｂへ更新ファイル１９を送信することで、第２の実施形態より短持間で更新処理を完了することができる。
【００５４】
なお、上記の実施形態では、呼制御を行う回線コントローラ２から処理が開始されているが、特にこれに限定されるものではなく、他の端末装置をネットワーク４上に用意し、その端末装置から処理が開始されるようにしても良い。
【図面の簡単な説明】
【００５５】
【図１】構内ＰＨＳシステムのシステム構成を示す図である。
【図２】回線コントローラの機能構成を示す図である。
【図３】無線基地局の機能構成を示す図である。
【図４】無線基地局データを示す図である。
【図５】プログラム更新時における処理を示すシーケンス図である。
【図６】回線コントローラの機能構成を示す図である。
【図７】無線基地局の機能構成を示す図である。
【図８】プログラム更新時における処理を示すシーケンス図である。
【符号の説明】
【００５６】
１  構内ＰＨＳシステム
２ａ、ｂ  回線コントローラ
３ａ、ｂ  無線基地局
４  ネットワーク
５  ＰＨＳ
１１  リスト作成部
１２ａ、ｂ  更新制御部
１３  送受信部
１４  補助記憶装置
１５  無線基地局データ
１６  バージョンデータ
１７  更新用プログラム
１８  配信リストデータ
１９  更新ファイル
２１ａ、ｂ  プログラム更新部
２２  受信部
２３  送信部
２４  配信リスト修正部
２５  記憶装置
【図１】
2005157577.tif 000003
【図２】
2005157577.tif 000004
【図３】
2005157577.tif 000005
【図４】
2005157577.tif 000006
【図５】
2005157577.tif 000007
【図６】
2005157577.tif 000008
【図７】
2005157577.tif 000009
【図８】
2005157577.tif 000010